(57)【要約】【課題】点検者によるバラツキのない点検を実現する。【解決手段】装置は、撮像部と、ディスプレイと、点検者の装置に対する操作の内容を受付ける操作受付部と、機器の外観における異常の程度を示す複数の異常レベルのそれぞれに関連付けて当該異常が生じている外観を表す外観画像を格納する格納部を備えるサーバ３００と通信する通信部と、装置を制御する制御部と、を備える。制御部は、格納部の各異常レベルに関連付けられた外観画像を、サーバから受信するよう通信部を制御し、撮像部が機器の外観を撮像した撮像画像と、受信された各異常レベルに関連付けられた外観画像を表示するようにディスプレイを制御し、操作受付部が点検者から受付けた異常の程度を示す異常レベルに関連付けて、撮像画像が外観画像として格納部に格納されるように、当該撮像画像をサーバに送信するよう通信部を制御する。【選択図】図１
2019016079.tif 000002
【特許請求の範囲】
【請求項１】
電力機器の保守を支援するための装置であって、
撮像部と、
ディスプレイと、
点検者の前記装置に対する操作の内容を受付ける操作受付部と、
前記電力機器の外観における異常の程度を示す複数の異常レベルのそれぞれに関連付けて当該異常が生じている外観を表す外観画像を格納する格納部を備えるサーバと通信する通信部と、
前記装置を制御する制御部と、を備え、
前記制御部は、
前記格納部の各異常レベルに関連付けられた前記外観画像を、前記サーバから受信するよう前記通信部を制御し、
前記撮像部が前記電力機器の外観を撮像した撮像画像と、受信された前記各異常レベルに関連付けられた外観画像を表示するように前記ディスプレイを制御し、
前記操作受付部が前記点検者から受付けた前記異常の程度を示す前記異常レベルに関連付けて、前記撮像画像が前記外観画像として前記格納部に格納されるように、当該撮像画像を前記サーバに送信するよう前記通信部を制御する、電力機器の保守支援装置。
【請求項２】
電力機器の保守を支援するための装置であって、
撮像部と、
ディスプレイと、
点検者の前記装置に対する操作内容を受付ける操作受付部と、
前記電力機器の外観における異常の程度を示す複数の異常レベルのそれぞれに関連付けて当該異常が生じている外観を表す外観画像を格納する格納部と、
前記装置を制御する制御部と、を備え、
前記制御部は、
前記撮像部が当該電力機器の外観を撮像した撮像画像と、前記格納部の各異常レベルに関連付けられた外観画像を表示するように前記ディスプレイを制御し、
前記操作受付部が前記点検者から受付けた前記異常の程度を示す前記異常レベルに関連付けて、前記撮像画像を前記外観画像として前記格納部に格納する、電力機器の保守支援装置。
【請求項３】
前記制御部は、
前記撮像画像と前記外観画像とを、明るさを含む表示態様に関する属性が同じとなるように、前記ディスプレイを制御する、請求項１または２に記載の電力機器の保守支援装置。
【請求項４】
前記制御部は、
前記外観画像を、関連付けられた前記異常レベルに従う順番で表示するよう前記ディスプレイを制御する、請求項１から３のいずれか１項に記載の電力機器の保守支援装置。
【請求項５】
前記制御部は、
前記外観画像を、前記撮像画像との類似度に従う順番で表示するように前記ディスプレイを制御する、請求項１から４のいずれか１項に記載の電力機器の保守支援装置。
【請求項６】
前記格納部は、さらに、前記外観画像に関連付けて、当該外観画像の電力機器が有する属性を格納し、
前記制御部は、
前記格納部の前記外観画像に関連付けられた前記電力機器の属性について、前記撮像部により撮像された前記電力機器の属性との類似度を判定し、
前記外観画像を、前記類似度に従う順番で表示するよう前記ディスプレイを制御する、請求項１から５のいずれか１項に記載の電力機器の保守支援装置。
【請求項７】
前記電力機器の属性は、機種、製造年、設置環境条件および稼働環境条件の少なくとも１つを含む、請求項６に記載の電力機器の保守支援装置。
【請求項８】
前記格納部は、さらに、前記外観画像に関連付けて、当該外観画像を撮像した前記点検者の熟練の程度を示す熟練度を格納し、
前記制御部は、
前記外観画像を、当該外観画像に関連付けられた前記熟練度に従う順番で表示するよう前記ディスプレイを制御する、請求項１から７のいずれか１項に記載の電力機器の保守支援装置。
【請求項９】
前記格納部は、さらに、前記外観画像に関連付けて、前記異常に対しなされる処置内容を格納し、
前記制御部は、
前記外観画像を、当該外観画像に関連付けられた前記処置内容とともに表示するよう前記ディスプレイを制御する、請求項１から８のいずれか１項に記載の電力機器の保守支援装置。
【請求項１０】
前記電力機器は、メモリを有したＲＦ（Radio  Frequency）タグを備え、
前記装置は、前記ＲＦタグと非接触で交信する交信部を、さらに備え、
前記制御部は、
前記交信部の交信により、前記操作受付部が前記点検者から受付けた前記異常レベルに関連付けて、前記撮像画像を前記外観画像として前記ＲＦタグの前記メモリに格納する、請求項１から９のいずれか１項に記載の電力機器の保守支援装置。
【請求項１１】
電力機器の保守を支援するための装置であって、
マイクと、
点検者の前記装置に対する操作の内容を受付ける操作受付部と、
前記電力機器から出力される音の異常の程度を示す複数の異常音レベルのそれぞれに関連付けて異常音を示す音声データを格納する格納部を備えるサーバと通信する通信部と、
前記装置を制御する制御部と、を備え、
前記制御部は、
前記格納部の各異常音レベルに関連付けられた音声データを、前記サーバから受信するよう前記通信部を制御し、
前記マイクが当該電力機器から集音した集音データと、受信された前記各異常音レベルに関連付けられた前記音声データを再生し、
前記操作受付部が前記点検者から受付けた音の異常の程度を示す前記異常音レベルに関連付けて、前記集音データが前記音声データとして前記格納部に格納されるように、当該集音データを前記サーバに送信するよう前記通信部を制御する、電力機器の保守支援装置。
【請求項１２】
電力機器の保守を支援するための装置であって、
マイクと、
点検者の前記装置に対する操作内容を受付ける操作受付部と、
前記電力機器から出力される音の異常の程度を示す複数の異常音レベルのそれぞれに関連付けて異常音を示す音声データを格納する格納部と、
前記装置を制御する制御部と、を備え、
前記制御部は、
前記マイクが前記電力機器から集音した集音データと、前記格納部の各異常音レベルに関連付けられた音声データを再生し、
前記操作受付部が前記点検者から受付けた異常音の程度を示す前記異常音レベルに関連付けて、前記集音データを前記音声データとして前記格納部に格納する、電力機器の保守支援装置。
【請求項１３】
前記制御部は、前記集音データと前記音声データとを、共通の特性を有したフィルタを介して再生する、請求項１１または１２に記載の電力機器の保守支援装置。
【請求項１４】
電力機器の外観における異常の程度を示す複数の異常レベルのそれぞれに関連付けて当該異常が生じている外観を表す外観画像を格納する格納部を備えるサーバと、
前記サーバと通信する装置と、を備え、
前記装置は、
前記サーバと通信するための通信部と、
撮像部と、
ディスプレイと、
点検者の前記装置に対する操作の内容を受付ける操作受付部と、
前記装置を制御する制御部と、を備え、
前記制御部は、
前記格納部の各異常レベルに関連付けられた外観画像を、前記サーバから受信するように前記通信部を制御し、
前記撮像部が前記電力機器の外観を撮像した撮像画像と、受信された前記各異常レベルに関連付けられた外観画像を表示するように前記ディスプレイを制御し、
前記操作受付部が前記点検者から受付けた前記異常の程度を示す前記異常レベルに関連付けて、前記撮像画像が前記外観画像として前記格納部に格納されるように、当該撮像画像を前記サーバに送信するよう前記通信部を制御する、電力機器の保守支援システム。
【請求項１５】
コンピュータに、電力機器の保守を支援する方法を実行させるためのプログラムであって、
前記方法は、
前記電力機器の外観における異常の程度を示す複数の異常レベルのそれぞれに関連付けて当該異常が生じている外観を表す外観画像を格納する格納部を備えるサーバと通信するステップと、
前記格納部の各異常レベルに関連付けられた外観画像を、前記サーバから受信するステップと、
前記電力機器の外観を撮像した撮像画像と、前記サーバから受信された前記各異常レベルに関連付けられた外観画像を表示するステップと、
前記電力機器の点検者から受付けた前記異常の程度を示す前記異常レベルに関連付けて、前記撮像画像が前記外観画像として前記格納部に格納されるように、当該撮像画像を前記サーバに送信するステップと、を備える、プログラム。
【請求項１６】
コンピュータに、電力機器の保守を支援するための方法を実行させるためのプログラムであって、
前記コンピュータは、前記電力機器の外観における異常の程度を示す複数の異常レベルのそれぞれに関連付けて当該異常が生じている外観を表す外観画像を格納する格納部を備え、
前記方法は、
前記電力機器の外観を撮像した撮像画像と、前記格納部の各異常レベルに関連付けられた外観画像を表示するステップと、
前記電力機器の点検者から受付けた前記異常の程度を示す前記異常レベルに関連付けて、前記撮像画像を前記外観画像として前記格納部に格納するステップと、を備える、プログラム。
【請求項１７】
電力機器から出力される音の異常の程度を示す複数の異常音レベルのそれぞれに関連付けて異常音を示す音声データを格納する格納部を備えるサーバと、
前記サーバと通信する装置と、を備え、
前記装置は、
前記サーバと通信するための通信部と、
マイクと、
点検者の前記装置に対する操作の内容を受付ける操作受付部と、
前記装置を制御する制御部と、を備え、
前記制御部は、
前記格納部の各異常音レベルに関連付けられた音声データを、前記サーバから受信するよう前記通信部を制御し、
前記マイクが当該電力機器から集音した集音データと、受信された前記各異常音レベルに関連付けられた前記音声データを再生し、
前記操作受付部が前記点検者から受付けた音の異常の程度を示す前記異常音レベルに関連付けて、前記集音データが前記音声データとして前記格納部に格納されるように、当該集音データを前記サーバに送信するよう前記通信部を制御する、電力機器の保守支援システム。
【請求項１８】
コンピュータに、電力機器の保守を支援する方法を実行させるためのプログラムであって、
前記方法は、
前記電力機器から出力される音の異常の程度を示す複数の異常音レベルのそれぞれに関連付けて異常音を示す音声データを格納する格納部を備えるサーバと通信するステップと、
前記格納部の各異常音レベルに関連付けられた音声データを、前記サーバから受信するステップと、
前記マイクが当該電力機器から集音した集音データと、受信された前記各異常音レベルに関連付けられた前記音声データを再生するステップと、
前記電力機器の点検者から受付けた音の異常の程度を示す前記異常音レベルに関連付けて、前記集音データが前記音声データとして前記格納部に格納されるように、当該集音データを前記サーバに送信するステップと、を備える、プログラム。
【請求項１９】
コンピュータに、電力機器の保守を支援するための方法を実行させるためのプログラムであって、
前記コンピュータは、前記電力機器から出力される音の異常の程度を示す複数の異常音レベルのそれぞれに関連付けて異常音を示す音声データを格納する格納部を、備え、
前記方法は、
前記電力機器から集音した集音データと、前記格納部の各異常音レベルに関連付けられた音声データを再生するステップと、
前記電力機器の点検者から受付けた異常音の程度を示す前記異常音レベルに関連付けて、前記集音データを前記音声データとして前記格納部に格納するステップと、を備える、プログラム。
【発明の詳細な説明】
【技術分野】
【０００１】
この発明は電力機器の保守支援装置、システムおよびプログラムに関し、特に、電力機器を保守するための点検作業を支援するための電力機器の保守支援装置、システムおよびプログラムに関する。
【背景技術】
【０００２】
点検者は、変電機器を含む電力系統に連系する設備が正常に稼働するように点検する。点検の項目には、点検者の五感に頼る項目が多く含まれている。例えば、点検項目は、機器の変形、ボルトのゆるみ、機器のさびおよび油漏れを含む外観検査の項目、通常と異なる音の発生の有無を確認する音検査の項目を含む。
【０００３】
点検者の熟練度にはバラツキがあるために次のような課題があった。つまり、同じ対象について点検する場合であっても点検者によって点検結果に差異が生じる。または、点検者によっては前回点検時の状況が記録だけからは正常であるか異常であるかを判断することができない。または、点検者の知見または記録だけでは設備に発生している異常事象を正確に把握することができない。
【０００４】
特許文献１（特開２０１６−１７７８００号公報）は、太陽光発電所の点検作業のための構成を提案する。特許文献１は、点検管理装置は、基本の点検項目および異常時の追加点検項目を作業者の情報端末装置に送信し、作業者が点検結果を情報端末装置に入力する。情報端末装置は、入力内容を点検管理装置に送信し、点検管理装置は受信した入力内容を格納する構成を開示する。
【０００５】
特許文献２（特開２００９−７０１７３号公報）の巡視支援システムは、予めベテラン点検員から得た巡視点検支援情報を巡視支援サーバのメモリに格納し、格納されている巡視支援点検情報を点検支援に使用することを開示する（段落００１６）。また、巡視支援情報は継続的に新しい情報を随時追加更新することを開示する。また、各地で行う巡視結果を他の巡視支援に反映することを開示している。
【先行技術文献】
【特許文献】
【０００６】
【特許文献１】特開２０１６−１７７８００号公報
【特許文献２】特開２００９−７０１７３号公報
【発明の概要】
【発明が解決しようとする課題】
【０００７】
しかしながら、特許文献１および特許文献２では、熟練度などによる点検者ごとの判断基準（定量的な指標がない）にバラつきがあることに起因した課題を解消する提案はなされていない。
【０００８】
この発明は、点検者の技量によるバラツキのない点検を実現することが可能な電力機器保守支援装置、システムおよびプログラムを提供することを目的とする。
【課題を解決するための手段】
【０００９】
この発明のある局面に係る電力機器の保守を支援するための装置は、撮像部と、ディスプレイと、点検者の装置に対する操作の内容を受付ける操作受付部と、機器の外観における異常の程度を示す複数の異常レベルのそれぞれに関連付けて当該異常が生じている外観を表す外観画像を格納する格納部を備えるサーバと通信する通信部と、装置を制御する制御部と、を備える。制御部は、格納部の各異常レベルに関連付けられた外観画像を、サーバから受信するよう通信部を制御し、撮像部が機器の外観を撮像した撮像画像と、受信された各異常レベルに関連付けられた外観画像を表示するようにディスプレイを制御し、操作受付部が点検者から受付けた異常の程度を示す異常レベルに関連付けて、撮像画像が外観画像として格納部に格納されるように、当該撮像画像をサーバに送信するよう通信部を制御する。
【００１０】
この発明の他の局面に従う、電力機器の保守を支援するための装置は、撮像部と、ディスプレイと、点検者の装置に対する操作内容を受付ける操作受付部と、機器の外観における異常の程度を示す複数の異常レベルのそれぞれに関連付けて当該異常が生じている外観を表す外観画像を格納する格納部と、装置を制御する制御部と、を備える。
【００１１】
制御部は、撮像部が当該機器の外観を撮像した撮像画像と、格納部の各異常レベルに関連付けられた外観画像を表示するようにディスプレイを制御し、操作受付部が点検者から受付けた異常の程度を示す異常レベルに関連付けて、撮像画像を外観画像として格納部に格納する。
【００１２】
好ましくは、制御部は、撮像画像と外観画像とを、明るさを含む表示態様に関する属性が同じとなるように、ディスプレイを制御する。
【００１３】
好ましくは、制御部は、外観画像を、関連付けられた異常レベルに従う順番で表示するようディスプレイを制御する。
【００１４】
好ましくは、制御部は、外観画像を、撮像画像との類似度に従う順番で表示するようにディスプレイを制御する。
【００１５】
好ましくは、格納部は、さらに、外観画像に関連付けて、当該外観画像の電力機器が有する属性を格納し、制御部は、格納部の外観画像に関連付けられた電力機器の属性について、撮像部により撮像された電力機器の属性との類似度を判定し、外観画像を、類似度に従う順番で表示するようディスプレイを制御する。
【００１６】
好ましくは、電力機器の属性は、機種、製造年、設置環境条件および稼働環境条件の少なくとも１つを含む。
【００１７】
好ましくは、格納部は、さらに、外観画像に関連付けて、当該外観画像を撮像した点検者の熟練の程度を示す熟練度を格納し、制御部は、各異常レベルに関連付けられた外観画像を、当該外観画像に関連付けられた熟練度に従う順番で表示するようディスプレイを制御する。
【００１８】
好ましくは、格納部は、さらに、外観画像に関連付けて、異常に対しなされる処置内容を格納し、制御部は、外観画像を、当該外観画像に関連付けられた処置内容とともに表示するようディスプレイを制御する。
【００１９】
好ましくは、機器は、メモリを有したＲＦ（Radio  Frequency）タグを備え、装置は、ＲＦタグと非接触で交信する交信部を、さらに備え、制御部は、交信部の交信により、操作受付部が点検者から受付けた異常レベルに関連付けて、撮像画像を外観画像としてＲＦタグのメモリに格納する。
【００２０】
好ましくは、装置は、マイクをさらに備え、格納部は、さらに、機器から出力される音の異常の程度を示す複数の異常音レベルのそれぞれに関連付けて異常音を示す音声データを格納し、制御部は、さらに、格納部の各異常音レベルに関連付けられた音声データを、サーバから受信するよう通信部を制御し、マイクが当該機器から集音した集音データと、受信された各異常音レベルに関連付けられた音声データを再生し、操作受付部が点検者から受付けた音の異常の程度を示す異常音レベルに関連付けて、集音データが音声データとして格納部に格納されるように、当該集音データをサーバに送信するよう通信部を制御する。
【００２１】
好ましくは、装置は、マイクをさらに備え、格納部は、さらに、機器から出力される音の異常の程度を示す複数の異常音レベルのそれぞれに関連付けて異常音を示す音声データを格納し、制御部は、さらに、マイクが機器から集音した集音データと、格納部の各異常音レベルに関連付けられた音声データを再生し、操作受付部が点検者から受付けた異常音の程度を示す異常音レベルに関連付けて、集音データを音声データとして格納部に格納する。
【００２２】
好ましくは、制御部は、集音データと音声データとを、共通の特性を有したフィルタを介して再生する。
【００２３】
この発明のさらに他の局面に従うと、システムは、電力機器の外観における異常の程度を示す複数の異常レベルのそれぞれに関連付けて当該異常が生じている外観を表す外観画像を格納する格納部を備えるサーバと、サーバと通信する装置と、を備える。装置は、サーバと通信するための通信部と、撮像部と、ディスプレイと、点検者の装置に対する操作の内容を受付ける操作受付部と、装置を制御する制御部と、を備える。
【００２４】
制御部は、格納部の各異常レベルに関連付けられた外観画像を、サーバから受信するように通信部を制御し、撮像部が機器の外観を撮像した撮像画像と、受信された各異常レベルに関連付けられた外観画像を表示するようにディスプレイを制御し、操作受付部が点検者から受付けた異常の程度を示す異常レベルに関連付けて、撮像画像が外観画像として格納部に格納されるように、当該撮像画像をサーバに送信するよう通信部を制御する。
【００２５】
この発明のさらに他の局面に従うと、コンピュータに、電力機器の保守を支援する方法を実行させるためのプログラムが提供される。この方法は、機器の外観における異常の程度を示す複数の異常レベルのそれぞれに関連付けて当該異常が生じている外観を表す外観画像を格納する格納部を備えるサーバと通信するステップと、格納部の各異常レベルに関連付けられた外観画像を、サーバから受信するステップと、機器の外観を撮像した撮像画像と、サーバから受信された各異常レベルに関連付けられた外観画像を表示するステップと、機器の点検者から受付けた異常の程度を示す異常レベルに関連付けて、撮像画像が外観画像として格納部に格納されるように、当該撮像画像をサーバに送信するステップと、を備える。
【００２６】
この発明のさらに他の局面に従うと、コンピュータに、電力機器の保守を支援するための方法を実行させるためのプログラムが提供される。
【００２７】
コンピュータは、機器の外観における異常の程度を示す複数の異常レベルのそれぞれに関連付けて当該異常が生じている外観を表す外観画像を格納する格納部を備え、方法は、機器の外観を撮像した撮像画像と、格納部の各異常レベルに関連付けられた外観画像を表示するステップと、機器の点検者から受付けた異常の程度を示す異常レベルに関連付けて、撮像画像を外観画像として格納部に格納するステップと、を備える。
【００２８】
この発明のさらに他の局面に従うと、システムは、電力機器から出力される音の異常の程度を示す複数の異常音レベルのそれぞれに関連付けて異常音を示す音声データを格納する格納部を備えるサーバと、サーバと通信する装置と、を備える。
【００２９】
装置は、サーバと通信するための通信部と、マイクと、点検者の装置に対する操作の内容を受付ける操作受付部と、装置を制御する制御部と、を備える。
【００３０】
制御部は、格納部の各異常音レベルに関連付けられた音声データを、サーバから受信するよう通信部を制御し、マイクが当該電力機器から集音した集音データと、受信された各異常音レベルに関連付けられた音声データを再生し、操作受付部が点検者から受付けた音の異常の程度を示す異常音レベルに関連付けて、集音データが音声データとして格納部に格納されるように、当該集音データをサーバに送信するよう通信部を制御する。
【００３１】
この発明のさらに他の局面に従うと、コンピュータに、電力機器の保守を支援する方法を実行させるためのプログラムが提供される。この方法は、電力機器から出力される音の異常の程度を示す複数の異常音レベルのそれぞれに関連付けて異常音を示す音声データを格納する格納部を備えるサーバと通信するステップと、格納部の各異常音レベルに関連付けられた音声データを、サーバから受信するステップと、マイクが当該電力機器から集音した集音データと、受信された各異常音レベルに関連付けられた音声データを再生するステップと、電力機器の点検者から受付けた音の異常の程度を示す異常音レベルに関連付けて、集音データが音声データとして格納部に格納されるように、当該集音データをサーバに送信するステップと、を備える。
【００３２】
この発明のさらに他の局面に従うと、コンピュータに、電力機器の保守を支援するための方法を実行させるためのプログラムが提供される。コンピュータは、電力機器から出力される音の異常の程度を示す複数の異常音レベルのそれぞれに関連付けて異常音を示す音声データを格納する格納部を、備え、方法は、電力機器から集音した集音データと、格納部の各異常音レベルに関連付けられた音声データを再生するステップと、電力機器の点検者から受付けた異常音の程度を示す異常音レベルに関連付けて、集音データを音声データとして格納部に格納するステップと、を備える。
【発明の効果】
【００３３】
電力機器の保守において、点検者の技量によるバラツキのない点検を実現する支援をすることが可能となる。
【図面の簡単な説明】
【００３４】
【図１】実施の形態１に係る電力系統設備を保守するためのシステムの構成の一例を模式的に示す図である。
【図２】図１の変電所５の電力機器７の一例を模式的に示す図である。
【図３】図２のＲＦタグ７０の構成を模式的に示す図である。
【図４】実施の形態１に係る点検用端末装置２００のハードウェア構成の一例を模式的に示す図である。
【図５】実施の形態１に係るサーバ３００のハードウェア構成を模式的に示す図である。
【図６】実施の形態１に係るサーバ３００の機能構成を模式的に示す図である。
【図７】実施の形態１に係る点検用端末装置２００の機能構成を模式的に示す図である。
【図８】実施の形態１に係る点検結果ＤＢ３３Ａの一例を示す図である。
【図９】実施の形態１に係る機器ＤＢ３３Ｂの一例を示す図である。
【図１０】実施の形態１に係る処置ＤＢ３３Ｃの一例を示す図である。
【図１１】実施の形態１に係る点検者ＤＢ３３Ｄの一例を示す図である。
【図１２】実施の形態１に係る点検用端末装置２００が実施する処理を、サーバ３００が実施する処理と関連づけて示すフローチャートである。
【図１３】ステップＳ５で表示される画面例を示す図である。
【図１４】ステップＳ５で表示される画面例を示す図である。
【図１５】ステップＳ５で表示される画面例を示す図である。
【図１６】ステップＳ６の処理の一例を示すフローチャートである。
【図１７】ステップＴ５の処理の一例を示すフローチャートである。
【図１８】実施の形態１に係る前回情報または同種情報の画面表示の他の例を示す図である。
【図１９】実施の形態１に係る前回情報または同種情報の画面表示の更なる他の例を示す図である。
【図２０】実施の形態１に係る点検結果リストの表示の一例を示す図である。
【発明を実施するための形態】
【００３５】
以下、本発明の実施の形態について図面を参照して説明する。なお、図面において、同一の参照符号は、同一部分または相当部分を表す。
【００３６】
実施の形態１．
（概要）
電力機器の機器を点検する点検者は、点検用端末装置を携帯しながら機器を点検する。点検者は、点検用端末装置が備えるカメラで点検対象である機器の外観を撮像する。
【００３７】
点検用端末装置の制御部は、各異常レベルに関連付けられた外観画像を格納するサーバから、各異常レベルの外観画像を受信する。制御部は、点検者が点検対象機器について撮像した撮像画像と、サーバから受信した当該機器の各異常レベルの外観画像をディスプレイに表示する。点検者は、ディスプレイにおける撮像画像と各異常レベルの外観画像とを照合することができる。点検者は、照合結果に基づき、撮像画像はいずれの異常レベルの外観画像と一致または類似するかを判断する。これにより、点検用端末装置は、点検者が、機器の外観の異常が該当する異常レベルを判断する場合に、その判断を支援する情報を提供することができる。また、点検者の技量による異常レベルの判断のばらつきを抑制することができる。
【００３８】
また、点検用端末装置の制御部は、点検者が判断した異常レベルに関連付けて、撮像画像が格納されるように、当該撮像画像をサーバに送信する。これにより、点検者の判断がなされる毎に、格納部において、各異常レベルに関連付けられる外観画像を蓄積することができる。その結果、支援情報としてディスプレイに表示される各異常レベルの外観画像を多様化することができる。
【００３９】
（システムの全体構成）
図１は、実施の形態１に係る電力系統設備を保守するためのシステムの構成の一例を模式的に示す図である。図１を参照して、システム１００は、クラウドコンピュータを含むサーバ３００、Ａ変電所およびＢ変電所を含む各地の変電所５に備えられる通信装置６および１つ以上の点検用端末装置２００を備える。点検者は、点検用端末装置２００を携帯しながら、変電所５内の電力系統設備の機器を点検する。
【００４０】
通信装置６は、ネットワーク８を経由してサーバ３００と通信する。ネットワーク８は、専用回線または公衆回線を含む。点検用端末装置２００は、無線ＬＡＮ（Local Area Network）を介して通信装置６と通信する。公衆回線は、インターネットを含む。無線ＬＡＮは、Ｗｉ-Ｆｉ（登録商標）に従う無線回線を含む。点検用端末装置２００が、サーバ３００と通信する場合に、通信装置６は、点検用端末装置２００とサーバ３００との間の通信を中継する中継装置の機能を備える。なお、システム１００は、点検用端末装置２００が、通信装置６を経由することなくサーバ３００と通信する構成であってもよい。
【００４１】
（電力系統設備の構成）
図２は、図１の変電所５の電力機器７の一例を模式的に示す図である。図２を参照して、電力機器７は、遮断器ＣＢ１およびＣＢ２、ならびに変圧器ＴＲ１およびＴＲ２の各種機器を含む。電力機器７に備えられる機器の種類および台数は、これらの種類および台数に限定されない。
【００４２】
実施の形態１では、機器の点検項目は機器の外観の異常が有るか否かを確認する点検を含む。例えば、機器の内部からの油漏れによるシミ（図２参照）が外観に表れているとき、点検者は、機器の外観に異常が有ると判断する。外観の異常は、油漏れに限定されず、例えば錆の発生も含まれ得る。
【００４３】
各種機器は、ＲＦ（Radio Frequency）タグ７０が取付けられる。ＲＦタグ７０は、非接触で点検用端末装置２００と交信する。ＲＦタグ７０と点検用端末装置２００は、ＲＦＩＤ（Radio  Frequency  IDentification）と称される近距離無線方式に従い通信する。この場合、点検用端末装置２００は、ＲＦタグ７０との間でデータをやり取りするリーダライタとして機能する。
【００４４】
（ＲＦタグの構成）
図３は、図２のＲＦタグ７０の構成を模式的に示す図である。図３を参照して、ＲＦタグ７０は、制御部７１および半導体からなるメモリ７２を含むタグ回路７３およびアンテナ７５を接続する通信部７４を備える。通信部７４は、アンテナ７５を介して通信するためのインピーダンス調整回路（図示しない）を含む各種回路を含む。なお、制御部７１はコンピュータのほか、点検用端末装置２００との通信信号を変調または復調するためのモデム回路も含む。ＲＦタグ７０は、電源を内蔵せず、点検用端末装置２００からの送信波により生じた起電力によって動作する、いわゆるパッシブタイプまたは電源を内蔵するタイプのいずれであってもよい。なお、メモリ７２は、電源が切れても記憶内容を保存することが可能な不揮発性メモリを含む。
【００４５】
メモリ７２には、機器を一意に識別するための識別ＩＤ７８および前回情報７６が格納される。識別ＩＤ７８は、機器が設置された変電所名および機種を含む。機種は、機器の型、製造時期およびメーカ名を含む。前回情報７６は、直近になされた当該機器の点検内容を示す。この点検内容は、直近に実施された点検により機器の外観を撮像した撮像画像７７を含む。撮像画像７７についての詳細は後述する。
【００４６】
（点検用端末装置２００の構成）
図４は、実施の形態１に係る点検用端末装置２００のハードウェア構成の一例を模式的に示す図である。図４を参照して点検用端末装置２００は、例えばタブレット端末の形状を有する。点検用端末装置２００は、全体を制御するための制御部に相当するＣＰＵ（Central  Processing  Unit）２０、ＣＰＵ２０で実行されるプログラムおよびデータを記憶するためのＲＯＭ（Read  Only  Memory）２１、ＣＰＵ２０でプログラムを実行する際の作業領域を含むＲＡＭ（Random  Access  Memory）２２、点検者が点検用端末装置２００に対し指示を入力するために操作する操作部２３、タイマ２４、情報を表示するためのディスプレイ２５、および電源のスイッチ２６を備える。操作部２３はキーボード、マウス、タッチパッドを含んで構成することも可能である。操作部２３のタッチパッドは、ディスプレイ２５と一体的に構成されたタッチスクリーン２９を構成し得る。
【００４７】
点検用端末装置２００は、さらに、通信装置６との無線通信を制御するモデムを含む通信コントローラ２７、ハードディスクを含むメモリ２８、ＲＦタグ７０との通信を行なうＲＦリーダ/ライタ３０およびメモリリーダ/ライタ３１を備える。ＲＦリーダ/ライタ３０は、図示しないアンテナを介してＲＦタグ７０と交信するための交信部を含む。交信部は、ＲＦタグ７０のメモリ７２の情報の読出し、またはメモリ７２への情報の書込みの機能を備える。メモリリーダ/ライタ３１は、メモリカード３２を含む外部メモリが脱着自在に装着されて、ＣＰ２０の制御に従いメモリカード３２からデータを読出す、またはメモリカード３２にデータを書込む。
【００４８】
点検用端末装置２００は、さらに、撮像部に相当するカメラ３３、音声を集音するためのマイク３４、スピーカ３５およびセンサ３６を含む。センサ３６は、周囲の明るさを測定する明るさセンサ、温度を測定する温度センサ、振動を測定する振動センサ、および点検用端末装置２００の傾きを測定する傾きセンサを含む。傾きセンサは、加速度センサを含み、加速度センサの出力を傾きに変換する。なお、センサ３６に含まれるセンサの種類は、これらに限定されない。また、音声は、声は含まれず、音のみからなる場合もある。
【００４９】
（サーバ３００の構成）
図５は、実施の形態１に係るサーバ３００のハードウェア構成を模式的に示す図である。図５を参照して、サーバ３００は、全体を制御するための制御部に相当するＣＰＵ１３０、ＣＰＵ１３０で実行されるプログラムおよびデータを記憶するためのＲＯＭ１３１、ＣＰＵ１３０でプログラムを実行する際の作業領域を含むＲＡＭ１３２、各種の情報を格納するためのＨＤＤ（Hard  Disk  Drive）１３３、タイマ１３４、およびネットワーク８を介した通信を制御するためのネットワークコントローラ１３５を含む。
【００５０】
（サーバ３００と点検用端末装置２００の機能構成）
図６は、実施の形態１に係るサーバ３００の機能構成を模式的に示す図である。図６を参照してサーバ３００は、ＲＡＭ１３２およびＨＤＤ１３３を含む記憶部に格納された各種ＤＢ（データベースの略）３３０と点検用端末装置２００に表示させる画面を生成するためのテンプレートを含む画面情報３３１、画面情報３３１を用いて画面を生成するための画面生成部３２２、各種ＤＢ３３０に情報を格納するために格納処理部３２３および各種ＤＢ３３０を検索するための検索部３２４を含む。
【００５１】
図７は、実施の形態１に係る点検用端末装置２００の機能構成を模式的に示す図である。図７を参照して点検用端末装置２００は、操作部２３またはタッチスクリーン２９における点検者の操作の内容を受付ける受付部２１０、画面を表示するようにディスプレイ２５を制御するための表示制御部２１１、各種の要求をサーバ３００に送信するように通信コントローラ２７を制御するための要求部２１２を含む。この要求は、受付部２１０が点検者から受付けた操作内容に基づく要求を含む。
【００５２】
図６のサーバ３００の各部の機能は、ＣＰＵ１３０が実行するプログラム、またはプログラムと各種回路により実現される。また、図７の点検用端末装置２００の各部の機能は、ＣＰＵ２０が実行するプログラム、またはプログラムと各種回路により実現される。この各種回路は、ＡＳＩＣ（Application  Specific  Integrated  Circuit）またはＦＰＧＡ（Field-Programmable  Gate  Array)を含むが、これら回路に限定されない。
【００５３】
（各種ＤＢの内容）
図６の各種ＤＢ３３０は、点検結果ＤＢ３３Ａ、機器ＤＢ３３Ｂ、処置ＤＢ３３Ｃおよび点検者ＤＢ３３Ｄを含む。図８は、実施の形態１に係る点検結果ＤＢ３３Ａの一例を示す図である。図９は、実施の形態１に係る機器ＤＢ３３Ｂの一例を示す図である。図１０は、実施の形態１に係る処置ＤＢ３３Ｃの一例を示す図である。図１１は、実施の形態１に係る点検者ＤＢ３３Ｄの一例を示す図である。
【００５４】
実施の形態１では、各変電所に対応して点検結果ＤＢ３３Ａが備えられる。図８を参照して、各点検結果ＤＢ３３Ａは、対応の変電所の識別子５０を有し、当該変電所に設けられた各機器の点検結果の情報を格納する。具体的には、点検結果ＤＢ３３Ａは、当該変電所の機器毎に、識別データ（当該機器を一意に識別する機器ＩＤ５１、点検機器のコード５２、機種を示す機種コード５３）、当該機器の点検を実施した点検日時５４（年月日および時刻）、点検を実施した点検者を識別する点検者コード５５、点検区分５６、点検区分５６における点検項目５７、異常の有無５８、異常が有った場合の異常の程度を示す異常レベル５９、異常に対する処置の内容を示す処置ＩＤ６０、画像ファイルＩＤ６１、および音声ファイルＩＤ６４を関連付けて格納する。機器ＩＤ５１は、例えば機器番号を含む。
【００５５】
点検区分５６における点検項目５７は、一般的に複数項目を含む。ここでは、点検項目は、機器の外観に現れる油漏れおよび錆の発生、機器が発する異常音、およびボルト緩みを含む。なお、点検項目は、これらに限定されない。
【００５６】
後述するように、点検者は、外観異常を検出した場合には、点検用端末装置２００のカメラ３３により、油漏れの部分を含む外観を撮像する。撮像による画像データ６３は、画像ファイルとして記憶部に格納される。また、点検者は、機器からの発生する音を検出した場合には、点検用端末装置２００のマイク３４により音声を録音する。録音された音声データ６５は、音声ファイルとして記憶部に格納される。画像ファイルＩＤ６１は、記憶部に格納された対応する画像ファイルが紐付けされる。同様に、音声ファイルＩＤ６４は、記憶部に格納された対応する音声ファイルが紐付けされる。
【００５７】
図９を参照して、機器ＤＢ３３Ｂは、機器が有する属性を格納する。属性は、機器の機種コード毎に、機種名、メーカ名、型式、当該機器が稼働を開始した日付である稼働日３３３、および設置されている場所のデータを含む。図８の機種コード５３に、機器ＤＢ３３Ｂの機種コード５３に一致した機種コードに対応の機種名、メーカ名、型式、稼働日３３３、および設置されている場所のデータを含む機種の属性が紐付けされる。したがって、図８の機種コード５３に基づき、機器ＤＢ３３Ｂから、これら紐付けされたデータを読出すことができる。
【００５８】
図１０を参照して、処置ＤＢ３３Ｃは、処置ＩＤ毎に、実施する処置内容が格納される。処置内容は、機器の異常に対する処置であって、応急処置、恒久処置および臨時点検実施を行なうか否かの判定を含む。なお、処置内容は、これら種類に限定されない。図８の処置ＩＤ６０に、処置ＤＢ３３Ｃの処置ＩＤ６０に一致した処置ＩＤに対応の処置内容が紐付けされる。したがって、図８の処置ＩＤ６０に基づき、処置ＤＢ３３Ｃから紐付けされた処置内容を読出すことができる。
【００５９】
図１１を参照して、点検者ＤＢ３３Ｄは、点検者を識別するコード毎に、点検者の氏名、保守に関する熟練の程度である熟練度６０Ｂおよび所属のデータを含む。熟練度６０Ｂは、例えば点検者の保守作業の経験年数により示す。経験年数が長いほど熟練度６０Ｂは高くなる。図８の点検者コード５５に、点検者ＤＢ３３Ｄの点検者コード５５に一致したコードに対応のデータが紐付けされる。したがって、図８の点検者コード５５に基づき、点検者ＤＢ３３Ｄから紐付けされたデータを読出すことができる。
【００６０】
（点検用端末装置２００の処理フロー）
図１２は、実施の形態１に係る点検用端末装置２００が実施する処理を、サーバ３００が実施する処理と関連づけて示すフローチャートである。点検用端末装置２００を携帯した点検者が、電力機器７の機器を点検する場合に実行される処理を、図１２を参照して説明する。
【００６１】
図１２を参照して、点検者は、先ず基本項目として、点検日時、点検者名、変電所名を、操作部２３を操作して入力する（ステップＳ１）。ここで、点検日時はタイマ２４を用いて自動入力されてもよい。
【００６２】
点検者は、続いて点検対象の機器の機器番号を入力する（ステップＳ２）。この点検対象の機器番号は、自動的に入力されるとしてもよい。具体的には、点検用端末装置２００のＲＦリーダ/ライタ３０は、機器に貼付けられているＲＦタグ７０と交信し、ＲＦタグ７０のメモリ７２から識別ＩＤ７８を読出すことにより、機器番号を自動的に入力することができる。ステップＳ１およびＳ２で入力された情報は、「点検基本項目」とも称する。
【００６３】
受付部２１０は、ステップＳ１とＳ２における点検者の操作内容を受付ける。要求部２１２は、受付けられた点検基本項目を含む要求を、サーバ３００に送信するように、通信コントローラ２７を制御する（ステップＳ３）。
【００６４】
サーバ３００は、点検用端末装置２００から要求を受信する（ステップＴ１）。検索部３２４は、要求に従い、機器番号に基づき点検結果ＤＢ３３Ａを検索する（ステップＴ２）。検索により、検索部３２４は、当該機器番号に該当する機器ＩＤ５１に関連付けされている点検区分５６および点検項目５７を読出す。
【００６５】
画面生成部３２２は、受信した「点検基本項目」の内容とステップＴ２で読出された点検区分５６と点検項目５７とを用いて、画面データを生成する（ステップＴ３）。ＣＰＵ１３０は、生成された画面データを、点検用端末装置２００に送信する（ステップＴ４）。その後、ＣＰＵ１３０は支援情報を提供する処理を実施する（ステップＴ５）。ステップＴ５の詳細は後述する。
【００６６】
点検用端末装置２００では、表示制御部２１１は、サーバ３００から画面データを受信し、受信した画面データに従いディスプレイ２５を駆動する。これにより、ディスプレイ２５は、点検対象の機器の点検の判断基準をガイダンスする画面を表示する（ステップＳ５）。
【００６７】
点検者は、画面に表示された内容に従い、機器の点検を実施する。点検者は、異常の有無を判断し、判断に基づく点検結果を、操作部２３を操作して入力する（ステップＳ６）。点検者は、点検の結果に基づき何らかの処置が必要であるか否かを判断する（ステップＳ７）。ステップＳ６とＳ７では、点検者が異常の有無の判断、異常の程度の判断、処置が必要か否かの判断および処置内容の判断を支援するための情報が、サーバ３００（ステップＴ５を参照）から提供されて表示される。この詳細は後述する。
【００６８】
点検者は、処置が必要ないと判断したきは（ステップＳ７でＮＯ）、処置を実施しない。一方、点検者は、処置が必要と判断するときは（ステップＳ７でＹＥＳ）、処置を実施する（ステップＳ８）。ＣＰＵ２１は、操作部２３からの入力に基づき、全ての点検が終了したか否かを判断する（ステップＳ９）。点検が終了していないときは（ステップＳ９でＮＯ）、ステップＳ２に戻り、次の機器について、以降の処理が同様に行われる。
【００６９】
一方、全ての機器の点検が終了すると判断した場合は（ステップＳ９でＹＥＳ）、ＣＰＵ２０の要求部２１２は、点検結果を含む格納の要求をサーバ３００に送信する（ステップＳ１０）。この点検結果は、点検対象機器の外観の撮像画像、点検対象機器から録音した音声、点検者が判断した異常レベルおよび点検者が判断した処置内容を含む。その後、点検用端末装置２００の処理は終了する。
【００７０】
サーバ３００のＣＰＵ１３０は、点検用端末装置２００から格納の要求を受信するか否かを判断する（ステップＴ６）。ＣＰＵ１３０は、要求を受信しないと判断する時は、ステップＴ１に戻る。一方、ＣＰＵ１３０は、要求を受信したと判断すると（ステップＴ６でＹＥＳ）、格納処理部３２３は、要求に従い点検結果を、点検結果ＤＢ３３Ａに格納する（ステップＴ７）。その後、サーバ３００の処理は終了する。
【００７１】
（ステップＳ５における表示と操作）
図１２のステップＳ５におけるディスプレイ２５における表示と、点検者の操作手順を説明する。図１３、図１４および図１５は、図１２のステップＳ５で表示される画面例を示す図である。図１３の画面は、「点検基本項目」に基づく点検基本情報２５０と、アイコン２５１を表示する。点検者が、アイコン２５１を操作すると、表示制御部２１１は、サーバ３００から受信した画面データに従い、図１４の点検機器リスト２５２をディスプレイ２５に表示させる。
【００７２】
図１４は、点検機器リスト２５２の表示例を示す。点検機器リスト２５２は、図１３の点検基本情報２５０で指定された変電所（図１３では‘Ａ変電所’）を示す識別子５０に対応する点検結果ＤＢ３３Ａから抽出された機器ＩＤ５１、点検機器のコード５２、機種コード５３、点検日時５４を含むデータ２５５の一覧を含む。表示制御部２１１は、点検機器リスト２５２の各データ２５５に対応して、‘詳細情報’を表示させるためのアイコン２５４を表示する。さらに、表示制御部２１１は、点検機器リスト２５２に関連付けて矢印のアイコン２５３を表示する。アイコン２５３は、点検機器リスト２５２のデータ２５５のうち、ステップＳ２で入力された点検対象機器に対応したデータを指し示す。
【００７３】
実施の形態１では、変電所における点検対象機器のデータの表示態様は、図１４の一覧形式に限定されない。例えば、表示制御部２１１は、ステップＳ２で点検対象機器の情報が入力される毎に、ディスプレイ２５に、当該機器のデータ２５５を切替えながら表示させるとしてもよい。
【００７４】
点検者は、点検機器リスト２５２において、アイコン２５３が指し示すデータ２５５は、点検対象機器のデータであると認識することができる。点検者が、アイコン２５３が示すデータ２５５に対応したアイコン２５４を操作すると、表示制御部２１１は、ステップＳ５における点検項目の情報をディスプレイ２５に表示させる。この表示の一例が、図１５に示される。
【００７５】
（ステップＳ６における表示と操作）
ステップＳ６とステップＴ５の処理を説明する。図１６は、ステップＳ６の処理の一例を示すフローチャートである。また、図１７は、ステップＴ５の処理の一例を示すフローチャートである。
【００７６】
点検者は、ステップＳ５で表示される図１５の画面に従い点検を実施する。まず、表示制御部２１１は、図１５（Ａ）の画面を表示する。図１５（Ａ）の画面では、点検基本情報２５０、点検項目２５６、撮像画像を表示する領域２５７およびアイコン２５８が表示される。点検項目２５６は、点検結果ＤＢ３３Ａから検索された点検項目５７と画像ファイルＩＤ６１に基づき、‘油漏れ’の点検と画像撮影との指示を含む。さらに、点検のための参考情報の検索を指示するためのアイコン２５８とアイコン２５６Ａとが表示される。
【００７７】
点検者は、点検項目２５６に従い、点検対象機器の外観における油漏れの有無を点検し、点検の結果を、操作部２３を操作して入力する。また、油漏れが有る場合に、油漏れの有る機器の外観を、カメラ３３で撮像する。表示制御部２１１は、カメラ３３からの撮像画像を表示するように図１５（Ａ）の領域２５７に表示する。また、点検対象機器から発生する音があれば、点検者はマイク３４により集音して録音する。録音された音声データは、ＲＡＭ２２に格納される。
【００７８】
また、点検者は、油漏れの異常レベルを判断する場合に、支援情報を得るため、アイコン２５８を操作する。受付部２１０が、アイコン２５８の操作内容を受付けると、表示制御部２１１は、受付けた操作内容に従い、ディスプレイ２５の画面を、図１５（Ａ）から図１５（Ｂ）の画面に切替える。
【００７９】
ＣＰＵ２０は、アイコン２５８が操作されたとき、すなわち図１５（Ｂ）の画面が表示されたとき、図１６の処理を開始する。
【００８０】
図１５（Ｂ）の画面では、図１５（Ａ）のアイコン２５８は、アイコン２５８Ａと２５８Ｂに切替えられている。アイコン２５８Ａは、点検対象機器の前回の点検結果を含む点検情報を表示させるために操作される。また、アイコン２５８Ｂは、点検対象機器と同じ種類の他の機器の点検情報を表示させるために操作される。
【００８１】
図１６を参照して、受付部２１０は、点検者によるアイコン２５８Ａまたは２５８Ｂの操作内容を受付ける（ステップＳ１１）。
【００８２】
＜前回情報の表示＞
点検者の操作内容がアイコン２５８Ａの操作を示す場合（ステップＳ１２で‘前回情報’）、要求部２１２は、点検対象機器の前回の点検情報の要求を、サーバ３００に送信する（ステップＳ１３）。一方、点検者の操作内容がアイコン２５８Ｂの操作を示す場合（ステップＳ１２で‘同種情報’）、要求部２１２は、点検対象機器と同種の他の機器の点検情報の要求を、サーバ３００に送信する（ステップＳ１３）。
【００８３】
まず、‘前回情報’が要求される場合を説明する。サーバ３００のＣＰＵ１３０は、点検用端末装置２００から要求を受信すると（ステップＴ８）、検索部３２４は、受信した要求に従い、各種ＤＢ３３０を検索することにより、前回情報を取得する（ステップＴ１０）。
【００８４】
具体的には、検索部３２４は、ステップＴ１で受信した機器番号に基づき、‘Ａ変電所’の点検結果ＤＢ３３Ａを検索し、検索により、機器番号に該当する機器ＩＤ５１に関連付けされた、直近の点検日時５４、異常レベル５９、処置内容６０Ａ、熟練度６０Ｂおよび画像データ６３を、前回情報として読出す。この場合に、検索部３２４は、機器ＩＤ５１に関連付けられた処置ＩＤ６０に基づき、処置ＤＢ３３Ｃから紐付けされた処置内容６０Ａを取得する。また、検索部３２４は、機器ＩＤ５１に関連付けられた点検者コード５５に基づき、点検者ＤＢ３３Ｄから紐付けされた熟練度６０Ｂを取得する。
【００８５】
画面生成部３２２は、取得された前回情報から画面データを生成する。サーバ３００は、生成された画面データを点検用端末装置２００に送信する（ステップＴ１２）。
【００８６】
点検用端末装置２００のＣＰＵ２０は、サーバ３００から前回情報の画面データを受信すると（ステップＳ１４）、表示制御部２１１は、受信した画面データに従いディスプレイ２５を駆動する。これにより、ディスプレイ２５の画面は、図１５（Ｂ）から図１５（Ｃ）の画面に切替る。
【００８７】
図１５（Ｃ）では、同一画面において領域２５７に点検対象機器のカメラ３３による撮像画像と、サーバ３００から受信した前回情報２５９が表示される。点検者は、図１５（Ｃ）の画面から、点検結果の判断を支援するための情報を得ることができる。
【００８８】
具体的には、点検者は、前回情報２５９の外観画像６３１と領域２５７の撮像画像とを比較することで、油漏れの進行の程度を判断することができる。また、進行の程度と、前回情報２５９の異常レベル５９（レベルＡ）および処置内容６０Ａ（‘様子見’）とから、今回点検時の異常レベルと処置内容を判断することができる。さらに、前回点検時の点検者の熟練度６０Ｂから、前回情報２５９の信頼度を得ることも可能となる。
【００８９】
例えば、直近の点検日時からの経過時間の長さに比較して、油漏れ画像が大きな変化がない場合には、点検者は異常レベル２５６Ｂを、前回と同じ‘レベルＡ’であると判断することが可能となる（図１５（Ｃ）参照）。また、前回点検時の点検者の熟練度６０Ｂが高い場合には、前回の処置内容６０Ａは信頼性があると判断することができて、点検者は、今回の処置内容も前回と同じ‘様子見’に決定することが可能となる。
【００９０】
一方、例えば、直近の点検日時からの経過時間の長さに比較して、油漏れが大きくなっている場合には、点検者は異常レベル２５６Ｂを、前回の‘レベルＡ’よりも高い異常レベルにするべきと判断することが可能となる。また、前回点検時の点検者の熟練度６０Ｂが高い場合には、前回の処置内容は信頼性があると判断することができて、点検者は、今回の処置内容は、前回よりも高い緊急性を有した‘メーカ連絡’と判断してもよいとの指針を得ることができる。
【００９１】
図１５（Ｄ）は、前回情報２５９として音声データ６５が取得されていた場合の表示画面を示す。図１５（Ｄ）では、同一画面において、今回点検時に録音された音声データのアイコン２５７Ａと、前回情報２５９の音声データ６５のアイコン２５９Ａが表示される。ＣＰＵ２０は、アイコン２５７Ａが操作されたときは、今回点検時に録音されたＲＡＭ２２の音声データを再生する。また、ＣＰＵ２０は、アイコン２５９Ｂが操作されたときは、前回情報２５９に含まれる音声データ６５を再生する。再生された音声データに従い、スピーカ３５から音声が出力される。
【００９２】
点検者は、再生された音声を聞き比べて、点検対象機器が発する音に変化がないと判断した場合は、点検者は異常レベル２５６Ｂを、前回と同じ‘レベルＡ’であると判断することが可能となる（図１５（Ｄ）参照）。また、前回情報２５９の点検者の熟練度６０Ｂが高い場合には、前回の処置内容６０Ａは信頼性があると判断することができて、点検者は、今回の処置内容も前回と同じ‘様子見’に決定してよいとの判断をすることが可能となる。
【００９３】
一方、例えば、直近の点検日時からの経過時間の長さに比較して、発生する音量が大きくなっている場合には、点検者は異常レベル２５６Ｂを、前回の‘レベルＡ’よりも高い異常レベルにするべきと判断することが可能となる。また、前回情報２５９の点検者の熟練度６０Ｂが高い場合には、前回の処置内容６０Ａは信頼性があると判断することができて、点検者は、今回の処置内容は、前回よりも高い緊急性を有した‘メーカ連絡’と判断することができる。
【００９４】
なお、発生する音の判断基準は、音量の大きさに限定されない。この判断基準には、音の周波数（音の高さ）および音の発生する頻度が含まれ得る。
【００９５】
＜同種情報の表示＞
受付けた操作内容がアイコン２５８Ｂの操作を示す場合（ステップＳ１２で‘同種情報’）、要求部２１２は、点検対象機器と同種の他の機器の点検情報の要求を、サーバ３００に送信する（ステップＳ１６）。
【００９６】
サーバ３００のＣＰＵ１３０は同種情報の要求を受信する（ステップＴ８およびステップＴ９で‘同種情報’）。検索部３２４は、受信した要求に従い、各種ＤＢ３３０を検索することにより、同種の点検情報を取得する（ステップＴ１１）。
【００９７】
具体的には、検索部３２４は、ステップＴ１で受信した点検対象機器の機器番号に基づき、各変電所の点検結果ＤＢ３３Ａを検索する。検索部３２４は、検索により、各点検結果ＤＢ３３Ａから、点検対象機器の機器番号に該当する機器ＩＤ５１に関連付けされた、直近の点検日時５４、異常レベル５９、処置内容６０Ａ、熟練度６０Ｂおよび画像データ６３を、同種情報として読出す。この場合に、検索部３２４は、‘前回情報’のケースと同様に、機器ＩＤ５１に関連付けられた処置ＩＤ６０に基づき、処置ＤＢ３３Ｃから紐付けされた処置内容６０Ａを取得し、また、機器ＩＤ５１に関連付けられた点検者コード５５に基づき、点検者ＤＢ３３Ｄから紐付けされた熟練度６０Ｂを取得する。
【００９８】
画面生成部３２２は、各点検結果ＤＢ３３Ａから取得された同種情報を基に画面データを生成する。サーバ３００は、生成された画面データを点検用端末装置２００に送信する（ステップＴ１２）。
【００９９】
点検用端末装置２００のＣＰＵ２０は、サーバ３００から同種情報の画面データを受信する（ステップＳ１７）。表示制御部２１１は、受信した画面データに従いディスプレイ２５を駆動する。これにより、ディスプレイ２５の画面は、図１５（Ｂ）から同種情報を表示するための画面に切替る（ステップＳ１８）。
【０１００】
例えば、Ｎ（Ｎ＞１）個の同種情報が取得された場合は、表示制御部２１１は、画面データに基づき、Ｎ個の同種情報のそれぞれについて図１５（Ｃ）（または図１５（Ｄ））の画面をディスプレイ２５に表示する。点検者は、同種情報の外観画像と撮像画像を比較する、または同種情報の異常音の再生音声と、今回検出される異常音（または録音した異異常音）とを比較することで、異常レベルを判断することができる。異常レベルの判断に際しては、異常レベル５９、熟練度６０Ｂ、処置内容６０Ａを含む同種情報を参考に、今回の点検に基づく異常レベル２５６Ｂおよび処置内容の判断をすることができる。
【０１０１】
さらに、Ｎ個の同種情報のうちから、点検対象機器の稼働日３３３と同じ時期の稼働日が紐付けされた同種情報を抽出して、支援情報として出力するとしてもよい。これにより、点検対象機器の油漏れまたは異常音の程度が、稼働日３３３が同時期である他の機器に比べて大きくなっている場合に、点検者は、点検対象機器の油漏れまたは異常音は、稼働時間の長さによらない異常であるとの判断が可能となる。
【０１０２】
上記に述べた＜同種情報の表示＞では他の変電所の点検結果ＤＢ３３Ａも検索対象とすることで、＜前回情報の表示＞に比較して、点検者が異常レベル２５６Ｂおよび処置内容を判断するための支援情報を多様化することができる。
【０１０３】
（表示の変形例）
図１８は、実施の形態１に係る前回情報または同種情報の画面表示の他の例を示す図である。図１９は、実施の形態１に係る前回情報または同種情報の画面表示の更なる他の例を示す図である。図１５（Ｃ）および図１５（Ｄ）では、検索部３２４は前回情報または同種情報として、直近の点検情報のみを検索し、ディスプレイ２５には、検索された直近の点検情報のみが表示された。この変形例では、検索対象は直近の点検情報に限定されず、過去に遡るＭ（ただし、Ｍ≧２）個の点検情報が検索される。
【０１０４】
図１８を参照して、表示制御部２１１は、サーバ３００からの画面データに基づき、Ｍ個の点検情報の画面を切替えながら表示する。図１８の上段では、点検基本情報２５０および点検項目２５６と、過去に遡った複数個の点検情報の点検日時２５１Ａおよび点検日時２５１Ｂと、プルダウンメニューＷ１およびＷ２が表示される。プルダウンメニューＷ１は、異常レベルの選択肢（‘Ａ’、‘Ｂ’および‘Ｃ’）を表示し、プルダウンメニューＷ２は、処置内容の選択肢（‘様子見’、‘臨時点検’および‘メーカ連絡’）を表示する。
【０１０５】
図１８の画面の下段では、領域２５７の今回の点検対象機器の撮像画像と、過去のｉ（ｉ＝１，２，３・・・Ｍ）番目の点検日時２５１Ｃにおける点検情報（撮像した画像データ６３に基づく外観画像、異常レベル５９および処置内容６０Ａ）を表示する領域２９０と、アイコン２９１およびアイコン２９２が表示される。
【０１０６】
アイコン２９１は、領域２９０に表示中のｉ番目の点検情報が音声データ６５を含む場合に表示される。アイコン２９２は、領域２９０に表示される過去の点検情報を切替える場合に操作される。点検者がアイコン２９２を操作すると、受付部２１０は操作内容を受付けて、表示制御部２１１は、受付けた操作内容に従い、領域２９０のｉ番目の点検情報を次位（ｉ＋１番目またはｉ−１番目）の点検情報に切替える。
【０１０７】
点検者は、領域２５７の撮像画像と画像データ６３に基づく外観画像とを比較し、その結果に基づき、領域２９０における点検日時２５１Ｃ、異常レベル５９および処置内容６０Ａに照らして、今回の点検結果（異常レベルおよび処置内容を含む）を判断する。点検者は、判断の結果に基づき、プルダウンメニューＷ１とプルダウンメニューＷ２から異常レベルと処置内容を、操作部２３を操作して選択する。
【０１０８】
点検者が図１８のアイコン２９１を操作すると、受付部２１０は操作内容を受付ける。表示制御部２１１は、受付けられた操作内容に従い、ディスプレイ２５の画面を、図１９の画面に切替える。図１９の画面では、画像に代わって、音声を再生するためのアイコン２５７Ａと２５９Ａが表示される。
【０１０９】
点検者がアイコン２５７Ａを操作すると、図１５（Ｄ）と同様に、今回の点検対象機器で録音された音声データに従う再生音声がスピーカ３５から出力される。また、アイコン２５９Ａを操作すると、図１５（Ｄ）と同様に、点検日時２５１Ｃで録音された異常音の音声データ６５に従う再生音声がスピーカ３５から出力される。
【０１１０】
図１８および図１９に示す変形例によれば、点検者に対して、過去に遡る複数の点検情報を、異常レベルおよび処置内容を判断するための支援情報として提供することができる。
【０１１１】
なお、変形例として、過去に遡って検索されるべき点検情報は、遡る時間または遡って検索される件数を予め設定しておくことで絞り込みを行うとしてもよい。この遡る時間または遡って検索される件数は、点検者が操作部２３を操作して可変に設定することが可能である。
【０１１２】
（点検結果の表示例）
図２０は、実施の形態１に係る点検結果リストの表示の一例を示す図である。図１２のステップＳ１０で、点検終了時に点検情報を送信する場合に、表示制御部２１１は、図２０に示す点検結果リストをディスプレイ２５に表示する。
【０１１３】
図２０の点検結果リストは、図１４の点検機器リスト２５２のデータ２５５に、点検した区分および点検項目の情報２５５Ａおよび結果２５５Ｂを追加したものである。点検者は、図２０の点検結果リストを確認することにより、点検漏れがないこと、および点検の結果の総括的な傾向（例えば、高い異常レベルの機器が多い、または低い異常レベルの機器は少ない）を確認することができる。
【０１１４】
なお、実施の形態１では、点検は画像または音声を用いてなされたが、点検のために測定される情報は画像または音声に限定されない。例えば、点検対象機器からの発熱または振動を用いて点検がなされてもよい。その場合には、センサ３６の温度センサを用いた測定または振動センサを用いた測定を実施する。
【０１１５】
上記の温度センサは、点検用端末装置２００に備えられたセンサ３６に限定されない。例えば、測定用の温度センサは、点検用端末装置２００のセンサ３６とは異なる別の携帯型センサまたは点検対象の機器に予め装着されたセンサを含み得る。
【０１１６】
（機器の識別方法の変形例）
実施の形態１では、ＲＦタグ７０から点検対象の機器を識別する識別ＩＤ７８を取得したが、識別ＩＤ７８に取得方法は、これに限定されない。例えば、ＣＰＵ２０またはＣＰＵ１３０は、点検用端末装置２００の位置情報から点検対象機器を一意に特定するようにしてもよい。
【０１１７】
（処置内容の決定の変形例）
実施の形態１では、ＣＰＵ２０またはＣＰＵ１３０が異常レベルまたは処置内容を決定し、点検者に提示するとしてもよい。例えば、ＣＰＵ２０またはＣＰＵ１３０は、直近の点検時の油漏れの画像と、今回の点検時の油漏れの画像の油漏れ量を表す油漏れ範囲（面積）の差と、直近の点検からの経過時間の長さとに基づき、異常（油漏れ）の進行の速さを推定し、推定の結果に基づき、次回点検時まで様子見（処置は不要）、臨時点検、メーカ連絡を含む処置内容のいずれかを決定し、決定内容を点検者にディスプレイ２５を介して提示してもよい。
【０１１８】
実施の形態２．
実施の形態２は、実施の形態１の変形例を示す。実施の形態２では、点検用端末装置２００のＣＰＵ２０またはサーバ３００のＣＰＵ１３０は、ディスプレイ２５に撮像画像と外観画像６３１とを表示する場合に、両画像が、明るさを含む表示態様に関する属性が同じとなるように画像処理をした後に、ディスプレイ２５に表示する。
【０１１９】
上記の画像処理は、表示時の画像の明るさが一定となるような補正処理、表示時の画像の歪みを補正する処理を含む。画像処理は、画像の表示時に実施する場合に限定されず、撮像画像を点検結果ＤＢ３３Ａに画像データ６３として格納する際に実施するとしてもよい。なお、明るさ補正処理は、撮像時にセンサ３６の明るさセンサにより測定された明るさを用いて処理してもよい。また、歪み補正処理では、撮像時にセンサ３６の傾きセンサにより測定されたカメラ３３のアングルを用いて処理してもよい。
【０１２０】
これにより、例えば、同じ機種の機器であっても、変電所毎に備えられる環境が相違（例えば、室内の照明光と室外の自然光の相違）すること、またはカメラ３３で機器を撮像する場合のアングルが相違することを含む撮像条件の相違に起因した撮像画像が有する属性（明るさ、歪み）の変動が排除された状態で、ディスプレイ２５に撮像画像と外観画像６３１が表示される。したがって、点検用端末装置２００またはサーバ３００は、領域２５７の撮像画像と外観画像６３１との比較に基づく異常レベルまたは処置内容の判断を、より正確に行うよう、点検者を支援することが可能となる。
【０１２１】
（画像処理の変形例）
点検者が、機器の外観を撮像する場合に、センサ３６の傾きセンサの出力に基づき、外観画像６３１と同じアングルからの撮像となるように、ＣＰＵ２０は、点検者にアドバイスを出力してもよい。
【０１２２】
（記憶部に格納される画像ファイルの変形例）
上記の実施の形態では、撮像による画像データ６３は、外観異常の画像を説明したが、異常がない正常と判断される外観の画像データを記憶部に格納してもよい。これにより、点検者に、正常と判断された外観の画像を表示することができる。したがって、例えば、油漏れの量によっては正常と判断されるケースが有る場合には、点検者に対し、どの程度の油漏れまでは正常と判断できるかの基準を示すことができる。
【０１２３】
さらに、異常と判断された外観の油漏れを処置した場合には、処置後の画像を撮像して記憶部に格納してもよい。これにより、異常に対しなされた処置の履歴を画像データとして格納しておくことで、点検者に、処置の履歴を画像として視覚的に提供することができる。
【０１２４】
実施の形態３．
実施の形態３は、実施の形態１または２の変形例を示す。実施の形態３では、上記に述べたようにＮ個の同種情報を表示する場合に、点検用端末装置２００のＣＰＵ２０またはサーバ３００のＣＰＵ１３０は、外観画像６３１を含む同種情報を、関連付けられた異常レベル５９の高い順または低い順に従う順番でディスプレイ２５に表示させる。
【０１２５】
または、点検用端末装置２００のＣＰＵ２０またはサーバ３００のＣＰＵ１３０は、撮像画像と各外観画像６３１の類似度を算出する画像処理を実施し、類似度の高い順に外観画像６３１をディスプレイ２５に表示させるとしてもよい。画像の類似度としては、画像が示す異常の範囲の類似度、色の類似度および形状の類似度を含み得る。また、異常レベル５９と類似度を組合わせた順番に従い表示するとしてもよい。画像の類似度による順番は、同様に、音声にも適用することができる。また、音声の類似度としては、音の大きさの類似度、音の高さ（周波数）の類似度、および音の発生頻度の類似度を含み得る。
【０１２６】
また、外観画像６３１の表示は、機器が有する属性の類似度に従う順番でなされる。ＣＰＵ２０は、外観画像の機器が有する属性と、撮像画像の機器（点検対象機器）が有する属性とを機器ＤＢ３３Ｂから読出し、読出された両属性の類似度を所定基準に従い判定する。ＣＰＵ２０は、外観画像をディスプレイ２５に表示する場合に、判定がなされた類似度の高い順に従う順番で表示する。同様に音声データ６５の再生においても、機器が有する属性の類似度に従う順番でなされる。
【０１２７】
上記の機器の属性は、機種コードが示す機種、機器の製造年、機器の設置環境条件および機器の稼働環境条件の少なくとも１つを含み得るが、属性の種類はこれらに限定されない。例えば、ＣＰＵ２０は、機種が同じであれば高い類似度を判定する。また、製造年は同じなら高い類似度を判定する。また設置環境条件が同じであれば高い類似度を判定する。また、稼働環境条件が同じであれば高い類似度を判定する。設置環境条件は、山間部、海浜部、高原部および田園部の区別、都市部および非都市部の区別、室内外の区別の少なくとも１つを含むが、これらに限定されない。また、稼働環境条件は、機器の周囲の状況を表す条件であり、温度、湿度、騒音（音量、周波数、頻度）および日射量の少なくとも１つを含むが、これらに限定されない。
【０１２８】
また、ＣＰＵ２０は、外観画像をディスプレイ２５に表示する場合に、外観画像に関連付けられた熟練度６０Ｂの高い順に従う順番で表示する。同様に音声データ６５の再生においても、音声データ６５に関連付けられた熟練度６０Ｂの高い順に従う順番で再生される。
【０１２９】
これにより、点検者は、異常レベルの高さの順番、または画像（または音声）の類似度の順番、または機種属性の類似度の順番、または熟練度６０Ｂのうちの１つに従う順番で、Ｎ個の同種情報を切替えながら、異常レベルまたは処置内容を判断するための支援情報を表示し確認することができる。なお、切替表示の順番は、異常レベルの高さの順番、または画像（または音声）の類似度の順番、または機種属性の類似度の順番、または熟練度６０Ｂの２つ以上の組合せに従う順番も含み得る。
【０１３０】
実施の形態４．
実施の形態４は、上記の各実施の形態の変形例を示す。実施の形態４では、点検用端末装置２００のＣＰＵ２０は、ステップＳ６〜Ｓ８で取得された点検情報（撮像画像、音声データ、異常レベルおよび処置内容）を、ＲＦタグ７０のメモリ７２に前回情報７６として格納する。これにより、点検対象機器のＲＦタグ７０のメモリ７２に直近の点検情報を格納しておくことができる。
【０１３１】
実施の形態４によれば、図１６のステップＳ１３〜Ｓ１５の処理では、ＣＰＵ２０は、サーバ３００と通信することなく、ＲＦタグ７０との通信により前回情報を取得することもできる。したがって、ＣＰＵ２０は、例えば、ネットワーク８のトラフィックを測定し、トラフィックが多い場合には、前回情報の取得経路を、ネットワーク８からＲＦタグ７０との交信に切替えるようにしてもよい。
【０１３２】
実施の形態５．
実施の形態５は、上記の各実施の形態の変形例を示す。実施の形態５では、アイコン２５７Ａが操作された場合に出力される音声データと、アイコン２５９Ａが操作された場合に出力される音声データとを、当該機器に対応した特性（例えば、予め定められた帯域幅）を有したバンドパスフィルタを通過させて出力する。特性は、当該機器から発生し得る異常音を的確に抽出可能な帯域幅であって、且つ機器の周囲環境において生じる雑音成分を除去することが可能な帯域である。
【０１３３】
実施の形態５によれば、例えば、同じ機種の機器であっても、変電所毎に備えられる環境が相違（例えば、室内と室外の相違）することを含む録音条件の相違に起因した音声が有する属性（例えば、ノイズの周波数）の変動が排除された状態で、音声を出力することができる。したがって、点検者が、音声どうしの比較に基づく異常レベルまたは処置内容の判断を、より正確に行えるように支援することが可能となる。
【０１３４】
実施の形態６．
実施の形態６は、上記の各実施の形態の変形例を示す。実施の形態１〜５のシステム１００の機能を、スタンドアローン型の端末として機能する点検用端末装置２００により実現する。具体的には、実施の形態１〜５では、点検用端末装置２００はサーバ３００のクライアント端末として機能したが、実施の形態６では、点検用端末装置２００は、サーバ３００とは独立したスタンドアローン型の端末として機能する。
【０１３５】
実施の形態６の点検用端末装置２００は、メモリカード３２に各種ＤＢ３３０を格納し、ＣＰＵ２０はメモリカード３２の各種ＤＢ３３０を検索する検索部３２４および検索結果に基づき画面データを生成する画面生成部３２２の機能を備える。これにより、実施の形態６では、点検用端末装置２００は、サーバ３００と通信コスト（時間および費用）のかからないシステムを提供することが可能となる。
【０１３６】
実施の形態７．
実施の形態７では、各実施の形態で説明した点検用端末装置２００の処理またはサーバ３００の処理を実現するためのプログラムが提供される。このプログラムは、図１２、図１６および図１７の処理フローチャートに従うプログラムを含む。
【０１３７】
点検用端末装置２００では、プログラムは、記憶部（ＲＯＭ２１またはＲＡＭ２２またはメモリカード３２）に格納される。ＣＰＵ２０が記憶部からプログラムを読出し、読出されたプログラムを実行することにより、処理が実現される。また、サーバ３００では、プログラムは、記憶部（ＲＯＭ１３１またはＲＡＭ１３２またはＨＤＤ１３３）に格納される。ＣＰＵ１３０が記憶部からプログラムを読出し、読出されたプログラムを実行することにより、処理が実現される。
【０１３８】
上述したようなプログラムは、図４の点検用端末装置２００のコンピュータに付属するメモリカード３２を含むコンピュータ読み取り可能な記録媒体に記録して提供される。あるいは、ネットワーク８を含む通信回線からダウンロードされるプログラムを、通信コントローラ２７を介して内部の記憶領域（ＲＯＭ２１またはＲＡＭ２２または装着されたメモリカード３２）記録して、プログラムを提供することもできる。また、上述したようなプログラムは、図５のサーバ３００のコンピュータに付属する図示しないメモリカードを含むコンピュータ読み取り可能な記録媒体に記録して提供される。あるいは、ネットワーク８を含む通信回線からダウンロードされるプログラムを、ネットワークコントローラ１３５を介して内部の記憶領域（ＲＯＭ１３１またはＲＡＭ１３２またはＨＤＤ１３３）記録して、プログラムを提供することもできる。
【０１３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４０】
５  変電所、６  通信装置、７  電力機器、８  ネットワーク、２５  ディスプレイ、２７  通信コントローラ、２８，７２  メモリ、３３  カメラ、３４  マイク、３５  スピーカ、３６  センサ、５９，２５６Ｂ  異常レベル、６０Ａ  処置内容、６０Ｂ  熟練度、６３  画像データ、６５  音声データ、７０  ＲＦタグ、７６，２５９  前回情報、７７  撮像画像、７８  識別ＩＤ、１００  システム、１３５  ネットワークコントローラ、２００  点検用端末装置、２１０  受付部、２１１  表示制御部、２１２  要求部、２５０  点検基本情報、２５２  点検機器リスト、３００  サーバ、３２２  画面生成部、３２３  格納処理部、３２４  検索部、Ｗ１，Ｗ２  プルダウンメニュー。 
【図１】
2019016079.tif 000003
【図２】
2019016079.tif 000004
【図３】
2019016079.tif 000005
【図４】
2019016079.tif 000006
【図５】
2019016079.tif 000007
【図６】
2019016079.tif 000008
【図７】
2019016079.tif 000009
【図８】
2019016079.tif 000010
【図９】
2019016079.tif 000011
【図１０】
2019016079.tif 000012
【図１１】
2019016079.tif 000013
【図１２】
2019016079.tif 000014
【図１３】
2019016079.tif 000015
【図１４】
2019016079.tif 000016
【図１５】
2019016079.tif 000017
【図１６】
2019016079.tif 000018
【図１７】
2019016079.tif 000019
【図１８】
2019016079.tif 000020
【図１９】
2019016079.tif 000021
【図２０】
2019016079.tif 000022